(57)【要約】【課題】所望の伝送特性を保ちつつ小型化を図ることができるコネクタを提供すること。【解決手段】隣り合って配置された同一形状のペアのコンタクトＳとペアのコンタクトＳの隣に配置された隣のコンタクトＧとを備えている。ペアのコンタクトＳ及び隣のコンタクトＧは、一端の接触部１６及び他端の接続部１７がいずれも平行でかつ同一間隔に配列されている。さらに、ペアのコンタクトＳ及び隣のコンタクトＧのうちの一方は、接触部１６と接続部１７との間の中間部において変形部１９を有し、他方から部分的に遠ざけられている。【選択図】図２
2014082112.tif 000002
【特許請求の範囲】
【請求項１】
隣り合って配置された同一形状のペアのコンタクトと前記ペアのコンタクトの隣に配置された隣のコンタクトとを含むコネクタにおいて、
前記ペアのコンタクト及び前記隣のコンタクトは、一端の接触部及び他端の接続部がいずれも平行でかつ同一間隔に配列されており、
前記隣のコンタクトは、前記接触部と前記接続部との間の中間部において変形部を有し、前記ペアのコンタクトから部分的に遠ざけられている
ことを特徴とするコネクタ。
【請求項２】
前記変形部は、前記隣のコンタクトを折り曲げることによって、前記ペアのコンタクトから部分的に遠ざけられていることを特徴とする、請求項１に記載のコネクタ。
【請求項３】
さらに、前記ペアのコンタクトからみて前記隣のコンタクトとは反対側の隣に配置された追加の隣のコンタクトを含み、前記追加の隣のコンタクトも、前記接触部と前記接続部との間の中間部において変形部を有し、前記ペアのコンタクトから部分的に遠ざけられていることを特徴とする、請求項１又は２に記載のコネクタ。
【請求項４】
前記追加の隣のコンタクトの変形部は、前記追加の隣のコンタクトを折り曲げることによって、前記ペアのコンタクトから部分的に遠ざけられていることを特徴とする、請求項３に記載のコネクタ。
【請求項５】
前記ペアのコンタクトは前記中間部に折曲部を有し、前記隣のコンタクトの変形部は、前記折曲部に対応した位置で前記折曲部とは反対向きに折れ曲がっていることを特徴とする、請求項１から４のいずれか一項に記載のコネクタ。
【請求項６】
隣り合って配置された同一形状のペアのコンタクトと前記ペアのコンタクトの隣に配置された隣のコンタクトとを含むコネクタにおいて、
前記ペアのコンタクト及び前記隣のコンタクトは、一端の接触部及び他端の接続部がいずれも平行でかつ同一間隔に配列されており、
前記ペアのコンタクトは、前記接触部と前記接続部との間の中間部において変形部を有し、前記隣のコンタクトから部分的に遠ざけられている
ことを特徴とするコネクタ。
【請求項７】
前記変形部は、前記ペアのコンタクトを折り曲げることによって、前記隣のコンタクトから部分的に遠ざけられていることを特徴とする、請求項６に記載のコネクタ。
【請求項８】
さらに、前記隣のコンタクトからみて前記ペアのコンタクトとは反対側の隣に、隣り合って配置された同一形状の追加のペアのコンタクトを含み、前記追加のペアのコンタクトも、前記接触部と前記接続部との間の中間部において変形部を有し、前記隣のコンタクトから部分的に遠ざけられていることを特徴とする、請求項７に記載のコネクタ。
【請求項９】
前記追加のペアのコンタクトの変形部は、前記追加のペアのコンタクトを折り曲げることによって、前記隣のコンタクトから部分的に遠ざけられていることを特徴とする、請求項８に記載のコネクタ。
【請求項１０】
前記隣のコンタクトは前記中間部に折曲部を有し、前記ペアのコンタクトの変形部は、前記折曲部に対応した位置で前記折曲部とは反対向きに折れ曲がっていることを特徴とする、請求項６から９のいずれか一項に記載のコネクタ。
【請求項１１】
前記ペアのコンタクトを差動信号を伝送するためのシグナルコンタクトとして使用し、前記隣のコンタクトをグランドコンタクトして使用することを特徴とする、請求項１から１０のいずれか一項に記載のコネクタ。
【発明の詳細な説明】
【技術分野】
【０００１】
本発明は、コネクタに関し、特に、例えば差動信号の伝送に適したコネクタに関する。
【背景技術】
【０００２】
対をなす２本の信号線にそれぞれ逆位相の信号からなる差動信号対を伝送する差動伝送方式が知られている。その差動伝送方式はデータ伝送速度を高速にできるという特長をもつため、昨今では様々な分野において実用されている。その場合に使用できるコネクタの一例が特許文献１に開示されている。
【０００３】
特許文献１のコネクタについて、その端子配列を示す図６を用いて説明する。図示の端子配列１は、一列に等間隔に配列された同形状の多数の端子を含んでいる。それらの端子は、複数本のグランド端子２と、これらのグランド端子２の間にそれぞれ配置された複数ペアの信号端子３とに分けられる。これによると、信号端子３のペア間にグランド端子２が配置されているので、信号端子３のペア間のクロストークの低減を期待できる。
【先行技術文献】
【特許文献】
【０００４】
【特許文献１】特開２０１０−２８７５６０号公報
【発明の概要】
【発明が解決しようとする課題】
【０００５】
しかしながら、特許文献１のコネクタは、同形状の多数の端子を一列に等間隔に配列した構造を有するため、端子の配列ピッチを狭くして小型化するには問題がある。即ち、端子の配列ピッチを狭めると、端子間のキャパシタンスが増大してインピーダンスが下がり、伝送特性が悪化する。したがって、特許文献１のコネクタは、端子配列のピッチが０．４ｍｍ程度に狭まるType CのミニＨＤＭＩ(High Definition Multimedia Interface)コネクタとして実施するには適しない。
【０００６】
それ故に本発明の目的は、所望の伝送特性を保ちつつ小型化を図ることができるコネクタを提供することにある。
【課題を解決するための手段】
【０００７】
本発明の一態様によれば、隣り合って配置された同一形状のペアのコンタクトと前記ペアのコンタクトの隣に配置された隣のコンタクトとを含むコネクタにおいて、前記ペアのコンタクト及び前記隣のコンタクトは、一端の接触部及び他端の接続部がいずれも平行でかつ同一間隔に配列されており、前記隣のコンタクトは、前記接触部と前記接続部との間の中間部において変形部を有し、前記ペアのコンタクトから部分的に遠ざけられていることを特徴とするコネクタが得られる。
【０００８】
前記変形部は、前記隣のコンタクトを折り曲げることによって、前記ペアのコンタクトから部分的に遠ざけられていてもよい。
【０００９】
さらに、前記ペアのコンタクトからみて前記隣のコンタクトとは反対側の隣に配置された追加の隣のコンタクトを含み、前記追加の隣のコンタクトも、前記接触部と前記接続部との間の中間部において変形部を有し、前記ペアのコンタクトから部分的に遠ざけられていてもよい。
【００１０】
前記追加の隣のコンタクトの変形部は、前記追加の隣のコンタクトを折り曲げることによって、前記ペアのコンタクトから部分的に遠ざけられていてもよい。
【００１１】
前記ペアのコンタクトは前記中間部に折曲部を有し、前記隣のコンタクトの変形部は、前記折曲部に対応した位置で前記折曲部とは反対向きに折れ曲がっていてもよい。
【００１２】
本発明の他の態様によれば、隣り合って配置された同一形状のペアのコンタクトと前記ペアのコンタクトの隣に配置された隣のコンタクトとを含むコネクタにおいて、前記ペアのコンタクト及び前記隣のコンタクトは、一端の接触部及び他端の接続部がいずれも平行でかつ同一間隔に配列されており、前記ペアのコンタクトは、前記接触部と前記接続部との間の中間部において変形部を有し、前記隣のコンタクトから部分的に遠ざけられていることを特徴とするコネクタが得られる。
【００１３】
前記変形部は、前記ペアのコンタクトを折り曲げることによって、前記隣のコンタクトから部分的に遠ざけられていてもよい。
【００１４】
さらに、前記隣のコンタクトからみて前記ペアのコンタクトとは反対側の隣に、隣り合って配置された同一形状の追加のペアのコンタクトを含み、前記追加のペアのコンタクトも、前記接触部と前記接続部との間の中間部において変形部を有し、前記隣のコンタクトから部分的に遠ざけられていてもよい。
【００１５】
前記追加のペアのコンタクトの変形部は、前記追加のペアのコンタクトを折り曲げることによって、前記隣のコンタクトから部分的に遠ざけられていてもよい。
【００１６】
前記隣のコンタクトは前記中間部に折曲部を有し、前記ペアのコンタクトの変形部は、前記折曲部に対応した位置で前記折曲部とは反対向きに折れ曲がっていてもよい。
【００１７】
上述したコネクタのいずれにおいても、前記ペアのコンタクトを差動信号を伝送するためのシグナルコンタクトとして使用し、前記隣のコンタクトをグランドコンタクトして使用することができる。
【発明の効果】
【００１８】
本発明のコネクタは、ペアのコンタクトと隣のコンタクトとが部分的に遠ざけられているので、所望の伝送特性を保ちつつ小型化を図ることができる。
【図面の簡単な説明】
【００１９】
【図１】本発明の一実施形態に係るコネクタの斜視図。
【図２】図１のコネクタに含まれたコンタクト配列を示す拡大斜視図。
【図３】図２のコンタクト配列の一変形例を示す斜視図。
【図４】図２のコンタクト配列の他の変形例を示す斜視図。
【図５】本発明の他の実施形態に係るコネクタの斜視図。
【図６】特許文献１のコネクタに含まれた端子配列を示す斜視図。
【発明を実施するための形態】
【００２０】
図１及び図２を参照して、本発明の一実施形態に係るコネクタについて説明する。
【００２１】
図１に示すコネクタ１０は、回路基板（図示せず）に実装可能なType CのミニＨＤＭＩコネクタであり、絶縁性のハウジング１１と、ハウジング１１に一列に配列されて装着された複数の導電性のコンタクト１２と、ハウジング１１を覆った金属板からなるシェル１３とを含んでいる。コネクタ１０の一端側は接続相手である相手コネクタ（図示せず）と嵌合するコネクタ嵌合部１４とされ、コネクタ１０の他端側は回路基板に実装される基板実装部１５とされている。
【００２２】
図２は図１のコネクタ１０に含まれたコンタクト１２の配列を示す。複数のコンタクト１２は、隣り合って配置された同一形状のペア（２本）のコンタクトＳとその両隣に配置された隣のコンタクトＧとを含んでいる。具体的には、隣のコンタクトＧとペアのコンタクトＳとがコネクタ幅方向Ｘにおいて交互に配列されている。なお、コネクタ幅方向Ｘの両端には隣のコンタクトＧが配置されている。
【００２３】
複数のコンタクト１２の全て（即ち、ペアのコンタクトＳ及び隣のコンタクトＧ）は狭ピッチで配列されている。特に、コンタクト１２の一端の接触部１６及び他端の接続部１７はいずれも平行でかつ同一間隔に配列されている。なお、接触部１６は相手コネクタと接触する部分であり、接続部１７は回路基板に半田付けなどにより接続される部分である。
【００２４】
ここで、コンタクト１２の接触部１６及び接続部１７の各々におけるピッチは０．４ｍｍである。また、接触部１６のコネクタ幅方向Ｘにおける寸法、即ち、幅寸法は０．２５ｍｍである。したがって、互いに隣り合うコンタクト１２の接触部１６の相互間隔は、極めて狭い０．１５ｍｍである。
【００２５】
さらに、ペアのコンタクトＳは全て、接触部１６と接続部１７との間の中間部に、外側に凸を成すようにほぼ直角に折れ曲がった折曲部１８を形成している。一方、ペアのコンタクトＳの両隣に位置する隣のコンタクトＧは全て、接触部１６と接続部１７との間の中間部のうち折曲部１８に対応する部位に、折曲部１８とは反対に内側に凸を成すように折れ曲がって変形した変形部１９を形成している。この変形部１９を形成することにより、配列ピッチは一定を保ちながら、隣のコンタクトＧはペアのコンタクトＳから部分的に遠ざけられている。このように隣のコンタクトＧを折り曲げることによりペアのコンタクトＳから部分的に遠ざけているので、所望の伝送特性を保ちつつ、コンタクト１２の配列ピッチを狭くしてコネクタ１０の小型化を図ることができる。
【００２６】
図３に示すように、隣のコンタクトＧの変形部１９は、折曲部１８に対応する部位から少し位置ずれして形成されてもよい。図３において、変形部１９は内側に変形されている。
【００２７】
図４に示すように、隣のコンタクトＧの変形部１９は外側に変形されていてもよい。
【００２８】
次に、図１と共に図５をも参照して、本発明の他の実施形態に係るコネクタについて説明する。なお、図１及び図２に示すコネクタと同様な部分については同じ参照符号を付して説明を省略することがある。
【００２９】
図５において、隣のコンタクトＧは全て、接触部１６と接続部１７との間の中間部に、外側に凸を成すようにほぼ直角に折れ曲がった折曲部２１を形成している。一方、ペアのコンタクトＳは全て、接触部１６と接続部１７との間の中間部のうち折曲部２１に対応する部位に、折曲部２１とは反対に内側に凸を成すように折れ曲がって変形した変形部２２を形成している。この変形部２２を形成することにより、ペアのコンタクトＳは隣のコンタクトＧから部分的に遠ざけられている。このようにペアのコンタクトＳを折り曲げることにより隣のコンタクトＳから部分的に遠ざけているので、所望の伝送特性を保ちつつ、コンタクト１２の配列ピッチを狭くしてコネクタ１０の小型化を図ることができる。
【００３０】
図５を用いて説明したコネクタにおいても、図３や図４と同様に、変形部２２を折曲部２１に対応する部位から少し位置ずれして内側又は外側に形成してもよい。
【００３１】
また、上述したいずれのコネクタ１０においても、ペアのコンタクトＳは差動信号を伝送するためのシグナルコンタクトとして使用され、隣のコンタクトＧはグランドに接続されるグランドコンタクトして使用される。即ち、コネクタ１０の使用時には、ペアのコンタクトＳに逆位相の信号からなる差動信号対が供給され、一方、隣のコンタクトＧにはグランド電位が供給される。
【００３２】
上述ではいくつかの実施形態を用いて説明したが、本発明はこれらの実施形態に限定されるものではなく、変形部は、折り曲げでなくとも湾曲など、配列ピッチは一定に保ちながら、隣のコンタクトと遠ざかっていれば様々な変形も可能であり、かつそれらの変形も本発明に包含されるものである。
【符号の説明】
【００３３】
１  端子配列
２  グランド端子
３  信号端子
１０  コネクタ
１１  ハウジング
１２  コンタクト
１３  シェル
１４  コネクタ嵌合部
１５  基板実装部
１６  接触部
１７  接続部
１８  折曲部
１９  変形部
２１  折曲部
２２  変形部
Ｓ  ペアのコンタクト（シグナルコンタクト）
Ｇ  隣のコンタクト（グランドコンタクト）
Ｘ  コネクタ幅方向
【図１】
2014082112.tif 000003
【図２】
2014082112.tif 000004
【図３】
2014082112.tif 000005
【図４】
2014082112.tif 000006
【図５】
2014082112.tif 000007
【図６】
2014082112.tif 000008